(57)【特許請求の範囲】
【請求項１】
建物の壁に所定間隔をあけて対向するように設置された足場の所要高さの前後支柱に渡される外筒体と、外筒体の後端部の左側壁部外面に固定されかつ後部支柱に押し当てられる固定受金と、外筒体の前端寄り部分の左側壁部外面に前後移動可能に取り付けられかつ前部支柱に押し当てられる可動受金と、外筒体の内部にスライド自在に収められて建物の壁側に所要長さ突出可能となされかつ先端に壁当てパッドを有する壁押え用内筒体とを備え、壁押え用内筒体の左側壁部に内部拡大溝が内筒体の全長にわたって設けられ、外筒体の前端寄り部分の左側壁部に、外筒体の長手方向に長い長孔が設けられ、外筒体の右側壁部にボルト差込み孔が長孔に対向するようにあけられ、外筒体の右側壁部のボルト差込み孔から外筒体の内部に差し込まれたボルトの軸部が、外筒体の左側壁部の長孔を通って可動受金の取付基部に設けられた貫通孔に挿通され、可動受金の取付基部より外側に突出したボルト外端部に締付ナットがねじ合わせられ、同ボルトの頭部が、壁押え用内筒体の左側壁部の内部拡大溝に回転不能に収められており、外筒体の後端部の固定受金が後部支柱に押し当てられかつ外筒体の前端寄り部分の可動受金が前部支柱に押し当てられるとともに外筒体の前端より所要長さ突出せしめられた壁押え用内筒体の先端の壁当てパッドが建物の壁の外面に押し当てられた状態で、締付ナットがねじ締められることにより、外筒体と壁押え用内筒体と可動受金とが結合せしめられるようになされていることを特徴とする、建築用足場における壁押え装置。
【発明の詳細な説明】
【０００１】
【発明の属する技術分野】
本発明は、建築用足場における壁押え装置に関するものである。
【０００２】
【従来の技術】
従来、建物の壁に所定間隔をあけて対向するように設置された足場が、壁側に倒れて寄り掛かるのを防止する壁押え装置としては、各種のものが知られており、例えば足場の所要高さの前後支柱に渡される固定バーに対して可動バーが伸縮自在に取り付けられ、可動バーは、スプリングによって常に外方に突出するように付勢されるとともに、レバー操作によって可動バーを所定長さ突出した位置で停止するようにしていた。
【０００３】
【発明が解決しようとする課題】
しかしながら、従来の壁押え装置では、スプリングや操作レバーを具備していて、構造が複雑であるとともに、操作が面倒であり、また部品点数が多いために生産性が悪く、製造コストが高くつくという問題があった。
【０００４】
本発明の目的は、上記の従来技術の問題を解決し、締付ナット１つの操作で、伸縮、固定、解除が可能で、操作性にすぐれており、しかも部品点数が少なく、生産性を向上することができて、製造コストを低減し得る、建築用足場における壁押え装置を提供しようとするにある。
【０００５】
【課題を解決するための手段】
上記の目的を達成するために、本発明による建築用足場における壁押え装置は、建物の壁に所定間隔をあけて対向するように設置された足場の所要高さの前後支柱に渡される外筒体と、外筒体の後端部の左側壁部外面に固定されかつ後部支柱に押し当てられる固定受金と、外筒体の前端寄り部分の左側壁部外面に前後移動可能に取り付けられかつ前部支柱に押し当てられる可動受金と、外筒体の内部にスライド自在に収められて建物の壁側に所要長さ突出可能となされかつ先端に壁当てパッドを有する壁押え用内筒体とを備え、壁押え用内筒体の左側壁部に内部拡大溝が内筒体の全長にわたって設けられ、外筒体の前端寄り部分の左側壁部に、外筒体の長手方向に長い長孔が設けられ、外筒体の右側壁部にボルト差込み孔が長孔に対向するようにあけられ、外筒体の右側壁部のボルト差込み孔から外筒体の内部に差し込まれたボルトの軸部が、外筒体の左側壁部の長孔を通って可動受金の取付基部に設けられた貫通孔に挿通され、可動受金の取付基部より外側に突出したボルト外端部に締付ナットがねじ合わせられ、同ボルトの頭部が、壁押え用内筒体の左側壁部の内部拡大溝に回転不能に収められており、外筒体の後端部の固定受金が後部支柱に押し当てられかつ外筒体の前端寄り部分の可動受金が前部支柱に押し当てられるとともに外筒体の前端より所要長さ突出せしめられた壁押え用内筒体の先端の壁当てパッドが建物の壁の外面に押し当てられた状態で、締付ナットがねじ締められることにより、外筒体と壁押え用内筒体と可動受金とが結合せしめられるようになされていることを特徴としている。
【０００６】
【発明の実施の形態】
つぎに、本発明の実施の形態を、図面を参照して説明する。
【０００７】
この明細書において、前後、左右は図２を基準とし、前とは図２の左側、後とは同右側をいゝ、また左とは同図の下側、右とは同上側をいうものとする。
【０００８】
まず図１を参照すると、建物の壁(1) に所定間隔をあけて対向するように設置された建築用足場(2) は、前後一対ずつ複数組配置された支柱(3) と、後部支柱(3) を外側より支える傾斜状の脚柱(4) と、前後支柱(3)(3)同士の間に渡された多数の踏桟(5) と、足場(2) の所要高さにおいて水平状に配置された上下２段の足場板(6) と、左右の相互に高さ違いの踏桟(5)(5)同士を連結する多数の筋かい(7) と、後部支柱(3) と脚柱(4) との間に渡された腕木(8) とによって、主として構成されており、足場(2) 上部の前後一組の支柱(3)(3)に本発明の壁押え装置(10)が渡されて取り付けられている。
【０００９】
なお、この実施形態における支柱(3) は、後述する円管に近い横断面形状を有するリブ付き管によって構成され、脚柱(4) と腕木(8) はそれぞれ角管によって構成され、踏桟(5) は円管によって構成されている。これらの足場構成部材は、いずれもアルミニウム（アルミニウム合金を含む）押出形材製である。
【００１０】
つぎに図２〜図４を参照して、本発明の壁押え装置(10)を詳しく説明する。
【００１１】
本発明の壁押え装置(10)は、建物の壁(1) に所定間隔をあけて対向するように設置された足場(2) の上部の前後支柱(3)(3)に渡されかつ角筒よりなる外筒体(11)と、外筒体(11)の後端部の左側壁部(11a) 外面に溶接により固定されかつ後部支柱(3) に押し当てられる固定受金(31)（固定ブラケット）と、外筒体(11)の前端寄り部分の左側壁部(11a) 外面に前後移動可能に取り付けられかつ前部支柱(3) に押し当てられる可動受金（可動ブラケット）(32)と、外筒体(11)の内部にスライド自在に収められて建物の壁(1) 側に所要長さ突出可能となされかつ先端に壁当てパッド(22)を有する角筒よりなる壁押え用内筒体（伸縮脚）(21)とを備えている。
【００１２】
この実施形態では、外筒体(11)と壁押え用内筒体(21)は所要長さを有するアルミニウム押出形材製であり、固定受金(31)と可動受金(32)は所要幅を有するアルミニウム押出形材の断片によりつくられている。壁当てパッド(22)は硬質の合成樹脂または合成ゴム製であり、パッド(22)は内筒体(21)の前端部に嵌被せ状にかつ小ねじ(19)により取り付けられている。
【００１３】
そして、外筒体(11)の前端寄り部分の左側壁部(11a) に、外筒体(11)の長手方向に長い長孔(12)が設けられ、また外筒体(11)の右側壁部(11b) にはボルト差込み孔(13)が長孔(12)に対向するようにあけられている。なお、外筒体(11)の上下両面には、多数の補強用凸条(14)が外筒体(11)の長手方向に設けられている。
【００１４】
一方、壁押え用内筒体(21)の左側壁部(21a) に、ボルト頭部(15a) を回転不能に収める内部拡大溝(23)が内筒体(21)の全長にわたって設けられている。この実施形態では、内部拡大溝(23)の開口部(24)内側の上下両側壁部(23a)(23a)に、段部(25)(25)が設けられて、幅広のばね座金収納用空間部(26)が形成されている。また内筒体(21)の後端部には、抜止め用ストッパ(27)が内部拡大溝(23)の内側に嵌め入れられた状態で固定されている。なお、内部拡大溝(23)の底壁部(23b) と内筒体(21)の右側壁部(21b) との間に補強壁部(28)が設けられている。内筒体(21)の外壁面に長手方向に数本ずつ設けられている横断面小さい凸弧状の凸条(29)は、スライドの際の摩擦抵抗を軽減するためのものである。
【００１５】
固定受金(31)は、外筒体(11)の後端部の左側壁部(11a) 外面に溶接により固定された平板状の基部(31a) と、これの長さの中間部より突出しかつ左方から後方に向かって伸びる平面よりみて逆略Ｌ形のフック部(31b) とによって構成されている。可動受金(32)は、固定受金(31)に対して前後対称形を有しかつ平板状の基部(32a) と、これの長さの中間部より突出しかつ左方から前方に向かって伸びる平面よりみて略Ｌ形のフック部(32b) とによって構成されている。また可動受金(32)の基部(32a) の後端寄り部分には、ボルト孔(33)があけられている。
【００１６】
そして、外筒体(11)の右側壁部(11b) のボルト差込み孔(13)から外筒体(11)の内部にボルト(15)およびこれのボルト軸部(25b) に嵌め被せられたばね座金(17)が嵌め入れられ、ボルト軸部(25b) は外筒体(11)の左側壁部(11a) の長孔(12)を通って左方外側に突出せしめられ、さらに可動受金(32)の取付基部(32a) に設けられた貫通孔(33)に挿通される。しかし、ボルト頭部(15a) およびばね座金(17)は、外筒体左側壁部(11a) の長孔(12)を通過できない大きさであるため、これらは外筒体(11)の内部に存在する。そしてボルト頭部(15a) は壁押え用内筒体(21)の左側壁部(11a) の内部拡大溝(23)に回転不能に収められ、かつばね座金(17)は内部拡大溝(23)の開口部(24)内側のばね座金収納用空間部(26)に収められている。また、可動受金の取付基部(11a) より外側に突出したボルト軸部(15b) の外端部には、平座金(18)が嵌め被せられるとともに蝶ナットよりなる締付ナット(16)がねじ合わせられている。
【００１７】
上記本発明の壁押え装置(10)の構成部品の組合わせの際には、まず固定受金(31)が取り付けられた外筒体(11)の右側壁部(11b) のボルト差込み孔(13)からボルト(15)ばね座金(17)を外筒体(11)の内部にが嵌め入れ、ボルト軸部(25b) を外筒体(11)の左側壁部(11a) の長孔(12)を通って左方外側に突出させる。ボルト頭部(15a) およびばね座金(17)は外筒体(11)の内部に存在する。この状態でつぎに、外筒体(11)の後端開口部より、抜止め用ストッパ(27)付き内筒体(21)のパッド(22)が取り付けられていない前端部を差し込み、外筒体(11)内のボルト頭部(15a) を内筒体(21)の内部拡大溝(23)内にスライドさせて回転不能に収めるとともに、ばね座金(17)を幅広の収納用空間部(26)内にスライドさせて収める。さらに外筒体(11)の左側壁部(11a) の長孔(12)を通って外側に突出したボルト軸部(25b) のに可動受金(32)の取付基部(32a) の貫通孔(33)を嵌め被せ、貫通孔(33)より外側に突出したボルト軸部(15b) の外端部に、平座金(18)を嵌め被せるとともに締付ナット(16)をねじ合わせる。そして、最後に、外筒体(11)の前端部より前方に突出した内筒体(21)の前端部に、パッド(22)を嵌め被せて小ねじ(19)で固定することにより、壁押え装置(10)の構成部品の組合わせを完了する。
【００１８】
なお、図２に示すように、支柱(3) は円管に近い横断面形状を有するリブ付き管によって構成されている。すなわち、支柱(3) は、長手方向にのびる平坦壁部(36)と、これの両側縁に連なりかつ横断面半円より大きい円弧形を有する曲面状壁部(37)と、平坦壁部(36)の幅中央部に外方突出状にかつ長手方向にのびるように設けられたリブ(38)とよりなり、円管に近い横断面形状を有している。支柱(3) のリブ(38)の先端と同支柱(3) の曲面状壁部(37)の中心との距離は、曲面状壁部(37)の円弧形横断面の半径に等しいものとなされている。なお、支柱(3) は、通常の円管や角管によって構成されていても、勿論良い。
【００１９】
つぎに、上記本発明の壁押え装置(10)の使用方法を説明すると、建物の壁(1) に所定間隔をあけて対向するように設置された足場(2) の上部において、前後一組の支柱(3)(3)同士の間に壁押え装置(10)を渡し、まずこれの外筒体(11)後端部の固定受金(31)の逆略Ｌ形のフック部(31b) を、後部支柱(3) にこれの前側より押し当てる。つぎに外筒体(11)の前端より壁押え用内筒体(21)を所要長さ突出せしめて、その先端の壁当てパッド(22)を建物の壁(1) の外面に押し当てる。この状態で、外筒体(11)の前端寄り部分の可動受金(32)の略Ｌ形のフック部(32b) を前部支柱(3) に後側より押し当て、最後に締付ナット(16)をねじ締めて、外筒体(11)と可動受金(32)と壁押え用内筒体(21)とを一体に結合せしめる。
【００２０】
こうして、いわば締付ナット(16)の共締めによるねじ締めおよびねじ外しの操作だけで、壁押え装置(10)の壁押え用内筒体(21)の伸縮、固定、解除が可能であり、従って操作性にすぐれており、足場(2) の前後一組の支柱(3)(3)の間に壁押え装置(10)を作業性よく渡し止めることができるものである。
【００２１】
なお、上記のようにして足場(2) の前後支柱(3)(3)渡し止められた壁押え装置(10)を、足場(2) の前後支柱(3)(3)より取り外す際には、上記と逆の手順により操作すれば、良い。
【００２２】
また、建築用足場(2) には、本発明による壁押え装置(10)を１本以上、好ましくは少なくとも２本取り付ける。これにより、建築用足場(2) が、建物の壁(1) 側に倒れて寄り掛かるのを確実に防止することができるものである。
【００２３】
【発明の効果】
本発明は、上述の次第で、本発明の建築用足場における壁押え装置によれば、建物の壁に所定間隔をあけて対向するように設置された足場の所要高さにおいて、壁押え装置の外筒体後端部の固定受金を、後部支柱に押し当て、外筒体の前端より壁押え用内筒体を突出せしめて、その先端の壁当てパッドを建物の壁の外面に押し当てるとともに、外筒体前端寄り部分の可動受金を前部支柱押し当てた状態で、締付ナットをねじ締めることにより、外筒体と壁押え用内筒体と可動受金とが、一体に結合せしめられるものであるから、いわば締付ナットの共締めによるねじ締めおよびねじ外しの操作だけで、壁押え装置の壁押え用内筒体の伸縮、固定、解除が可能であり、従って操作性にすぐれており、足場の前後一組の支柱の間に壁押え装置を作業性よく渡し止めることができ、しかも部品点数が少なく、生産性を向上することができて、製造コストを低減し得るという効果を奏する。
【図面の簡単な説明】
【図１】本発明品を具備する建築用足場の側面図である。
【図２】足場の前後支柱に取り付けられた本発明品の部分切欠き拡大平面図である。
【図３】図２のＡーＡ線に沿う拡大断面図である。
【図４】本発明品の要部拡大分解斜視図である。
【符号の説明】
１      建物の壁
２      足場
３      支柱
１１    外筒体
３１    固定受金
１１ａ  左側壁部
１１ｂ  右側壁部
１２    長孔
１３    ボルト差込み孔
１５    ボルト
１５ａ  ボルト頭部
１５ｂ  軸部
１６    締付ナット
２１    壁押え用内筒体
２１ａ  左側壁部
２２    壁当てパッド
２３    内部拡大溝
３２    可動受金
３２ａ  取付基部
３３    貫通孔
【図１】
0004164594.tif 000002
【図２】
0004164594.tif 000003
【図３】
0004164594.tif 000004
【図４】
0004164594.tif 000005